(57)【要約】      （修正有）【課題】魚のかかっていないフリーとなっている針の動きを抑えることができる根がかり回避メガネ二股サルカンを提供する。【解決手段】左右対称の山形の天秤状の棒１の両端に互いに向き合いぶら下がるように固定した輪２をそれぞれ設け、天秤状の棒１の中央付近から上向きに長い棒３を設けその端に輪４を設け、天秤状の棒１の中央付近から長い棒３に並んで接している短い棒５を設け、短い棒５に長い棒３と並んで接していない箇所７を設ける。このようにすることによって、魚のかかっていない時は一定の長さを残した所定の太さの糸１０が、長い棒３と短い棒５の２本が並んで接している隙間６に挟まっているため、針８の付いたハリス９の動きが仮止めされている状態となる。そして、片方の針８に魚がかかった時は、魚のかかった方の針８の付いたハリス９が引っ張られ、ハリス９は仮止め状態から解放される。【選択図】図５
0003204396.tif 000002
【実用新案登録請求の範囲】
【請求項１】
左右対称の山形の天秤状の棒（１）の両端に互いに向き合いぶら下がるように固定した輪（２）をそれぞれ設け、天秤状の棒（１）の中央付近から上向きに長い棒（３）を設けその端に輪（４）を設け、天秤状の棒（１）の中央付近から長い棒（３）に並んで接している短い棒（５）を設け、短い棒（５）に長い棒（３）と並んで接していない箇所（７）を設けたことを特徴とする根がかり回避メガネ二股サルカン。
【請求項２】
左右対称の山形の天秤状の棒（１）の両端に互いに向き合いぶら下がるように固定した輪（２）をそれぞれ設け、天秤状の棒（１）の中央付近の上部に、隙間のある輪（１４）と輪（１４）の隙間（１５）を挟んで長い棒（３）と短い棒（５）の２本が並んで接するように設け、天秤状の棒（１）の中央付近の上部と長い棒（３）がつながっていることを特徴とする根がかり回避メガネ二股サルカン。
【請求項３】
針（８）の付いたハリス（９）２本と所定の太さの糸（１０）１本を８の字で結び（１１）、針（８）の付いたハリス（９）２本の余分は８の字結び（１１）付近で切断し所定の太さの糸（１０）の針（８）の側は８の字結び（１１）付近で切断し針（８）の反対側の余分は一定の長さを残して切断し、針（８）を請求項１並びに請求項２の根がかり回避メガネ二股サルカンの天秤状の棒（１）の両端のそれぞれの輪（２）の内側から外側へそれぞれとおし、８の字の結び（１１）が輪（２）と輪（２）の間に位置するように取り付け、一定の長さを残した所定の太さの糸（１０）を長い捧（３）と短い棒（５）の２本が並んで接している隙間（６）に差し入れて設定したことを特徴とする根がかり回避メガネ二股サルカン。
【請求項４】
中とおしストッパーゴム（１２）をとおしたハリス（１３）の両端にそれぞれ針（８）を結び、針（８）を請求項１並びに請求項２の根がかり回避メガネ二設サルカンの天秤状の棒（１）の両端のそれぞれの輪（２）の内側から外側へそれぞれとおし、中とおしストッパーゴム（１２）が輪（２）と輪（２）の間に位置するように取り付けたことを特徴とする根がかり回避メガネ二股サルカン。
【考案の詳細な説明】
【考案の開示】
【考案が解決しようとする課題】
【０００１】ウキ釣りにおいて、道糸を結んだ丸サルカンに針のついたハリスを２本結び付けておこなう２本針の釣りは、魚がかかると魚を取り込む時に魚が暴れることにより魚のかかっていないフリーとなっている針は、水中の植物や岩礁などの障害物に根がかりを起こし魚の取り込みに大変苦労することがある。
魚のかかっていないフリーとなっている針の動きを抑えることが課題であった。
【課題を解決するための手段】
【０００２】上記課題を解決するため、
その１
左右対称の山形の天秤状の棒（１）の両端に互いに向き合いぶら下がるように固定した輪（２）をそれぞれ設け、天秤状の棒（１）の中央付近から上向きに長い棒（３）を設けその端に輪（４）を設け、天秤状の棒（１）の中央付近から長い棒（３）に並んで接している短い棒（５）を設け、短い棒（５）に長い棒（３）と並んで接していない箇所（７）を設けた根がかり回避メガネ二股サルカン。
その２
左右対称の山形の天秤状の棒（１）の両端に互いに向き合いぶら下がるように固定した輪（２）をそれぞれ設け、天秤状の棒（１）の中央付近の上部に、隙間のある輪（１４）と輪（１４）の隙間（１５）を挟んで長い棒（３）と短い棒（５）の２本が並んで接するように設け、天秤状の棒（１）の中央付近の上部と長い棒（３）がつながっていることを特徴とする根がかり回避メガネ二股サルカン
使用方法その１
針（８）の付いたハリス（９）２本と所定の太さの糸（１０）１本を８の字で結び（１１）、針（８）の付いたハリス（９）２本の余分は８の字結び（１１）付近で切断し所定の太さの糸（１０）の針（８）の側は８の字結び（１１）付近で切断し針（８）の反対側の余分は一定の長さを残して切断する。
針（８）を天秤状の棒（１）の両端のそれぞれの輪（２）の内側から外側へそれぞれとおし、８の字の結び（１１）が輪（２）と輪（２）の間に位置するよう取り付け、一定の長さを残した所定の太さの糸（１０）を長い棒（３）と短い棒（５）の２本が並んで接している隙間（６）に差し入れる。
使用方法その２
中とおしストッパーゴム（１２）をとおしたハリス（１３）の両端にそれぞれ針（８）を結び、針（８）を天秤状の棒（１）の両端のそれぞれの輪（２）の内側から外側へそれぞれとおし、中とおしストッパーゴム（１２）が輪（２）と輪（２）の間に位置するように取り付ける。
【考案の効果】
【０００３】その１
針（８）の付いたハリス（９）２本と所定の太さの糸（１０）１本を８の字で結び（１１）、針（８）の付いたハリス（９）２本の余分は８の字結び（１１）目付近で切断し一定の太さの糸（１０）の針（８）の側は８の字結び（１１）付近で切断し針（８）の反対側の余分は一定の長さを残して切断する。
針（８）を天秤状の棒（１）の両端のそれぞれの輪（２）の内側から外側へそれぞれとおし、８の字の結び（１１）が輪（２）と輪（２）の間に位置するよう取り付け、一定の長さを残した所定の太さの糸（１０）を長い棒（３）と短い棒（５）の２本が並んで接している隙間（６）に差し入れる。
このように設定することによって、魚のかかっていない時は一定の長さを残した所定の太さの糸（１０）が、長い棒（３）と短い棒（５）の２本が並んで接している隙間（６）に挟まっているため、針（８）の付いたハリス（９）の動きが仮止めされている状態となる。
そして、片方の針（８）に魚がかかった時は、魚のかかった方の針（８）の付いたハリス（９）が引っ張られ、一定の長さを残した所定の太さの糸（１０）は、長い棒（３）と短い棒（５）の２本が並んで接している隙間（６）に挟まった状態から長い棒（３）と並んで接していない個所（７）まで移動し外れ、ハリス（９）は仮止め状態から解放される。そして魚のかかっていない針（８）の付いたハリス（９）は輪（２）と輪（２）をとおり移動し、魚のかかっていない針（８）は、輪（２）まで移動し輪（２）に引っ掛かって固定されることによって動きが抑えられ根がかりを回避することができる。
釣る魚の対象によって針（８）の大きさが変わり針（８）の付いたハリス（９）の太さが変わることもあるが、長い棒（３）と短い棒（５）の２本が並んで接している隙間（６）が一定しているため所定の太さの糸（１０）を使うことにより長い棒（３）と棒短い（５）の２本が並んで接している隙間（６）に差し入れることや外れ方が安定し取扱いやすくなる。
その２
中とおしストッパーゴム（１２）をとおしたハリス（１３）の両端にそれぞれ針（８）を結び、針（８）を天秤状の棒（１）の両端のそれぞれの輪（２）の内側から外側へそれぞれとおし中とおし、ストッパーゴム（１２）が輪（２）と輪（２）の間に位置するように取り付ける。
このように設定することによって、魚のかかっていない時は、中とおしストッパーゴム（１２）が輪（２）と輪（２）の間に位置し安定しているため向き合った輪（２）と輪（２）に動きを抑えられている状態となり、針（８）の付いたハリス（１３）は仮止めされている状態となる。
そして、片方の針（８）に魚がかかった時は、魚のかかった方の針（８）の付いたハリス（１３）が引っ張られ、魚の掛かっていない方のハリス（１３）は輪（２）と輪（２）の間にある中とおしストッパーゴム（１２）をとおって移動し、魚のかかっていない針（８）は輪（２）まで引っ張られて輪（２）に引っ掛かって固定されることによって動きが抑えられ根がかりを回避することができる。
【図面の簡単な説明】
【０００４】
【図１】根がかり回避メガネ二股サルカンその１の正面図である。
【図２】根がかり回避メガネ二股サルカンその１の側面図である。
【図３】根がかり回避メガネ二股サルカンその２の正面図である。
【図４】根がかり回避メガネ二股サルカンその２の側面図である。
【図５】根がかり回避メガネ二股サルカンその１に８の字結びのハリスをセットした斜図である。
【図６】根がかり回避メガネ二股サルカンその２に中とおしストッパーゴムをとおしたハリスをセットした斜図である。
【符号の説明】
【０００５】１  天秤状の棒
２  輪
３  長い棒
４  輪
５  短い棒
６  並んで接している隙間
７  ながい棒（３）と並んで接していない個所
８  針
９  針（８）の付いたハリス
１０  所定の太さの糸
１１  ８の字結び
１２  中とおしストッパーゴム
１３  中とおしストッパーゴム（１２）をとおしたハリス
１４  隙間のある輪
１５  隙間のある輪（１４）の隙間
【図１】
0003204396.tif 000003
【図２】
0003204396.tif 000004
【図３】
0003204396.tif 000005
【図４】
0003204396.tif 000006
【図５】
0003204396.tif 000007
【図６】
0003204396.tif 000008